(57)【特許請求の範囲】
【請求項１】
固定側部材に固定されたシャフトと、
前記シャフトの長さ方向の略中央部分に設けられたロックプレートと、
前記シャフト及びロックプレートが内部に配置されると共に前記固定側部材に回動可能に支持される大径筒部及び大径筒部の長さ方向の略中央部分に起立した小径筒部を有し、前記シャフトの周囲で回動可能となっているケースと、
前記小径筒部に取り付けられ、前記ケースと一体となって回動する取手と、
前記小径筒部の内部に配置されており、前記ロックプレートに係脱自在に係合し、当該係合によって前記取手の回動をロックするロックピンと、
前記ロックプレートと係合する方向に前記ロックピンを付勢するロック付勢部材と、
前記ロックピンに連結され、前記ロックピンと前記ロックプレートとの係合を解除するロック解除部材とを備えていることを特徴とする取手装置。
【請求項２】
前記取手が一方向に回動するように付勢する回動付勢部材が前記大径筒部の内部に配置されていることを特徴とする請求項１記載の取手装置。
【請求項３】
前記ロックプレートは外周に第１の係合部が形成され、前記ロックピンは前記第１係合部と係脱自在に係合する第２の係合部が形成されて前記ロックプレートの周囲を回動することを特徴とする請求項１記載の取手装置。
【請求項４】
前記第１の係合部は前記ロックプレートに形成されたロック凹部であり、前記第２の係合部は前記ロックピンに形成され、ロック凹部に係合するロック凸部であることを特徴とする請求項３記載の取手装置。
【請求項５】
前記回転付勢部材は、一端がシャフト側に係止され、他端が取手側に係止された捩りばねであることを特徴とする請求項２記載の取手装置。
【請求項６】
前記回転付勢部材は、取手側の部材と当接するようにシャフト側に設けられた押圧駒と、押圧駒を前記当接方向に付勢するばね部材と、押圧駒と取手側の部材との当接部位に形成され、取手の回動に伴って摩擦トルクを増減させるカム手段とを備えていることを特徴とする請求項２記載の取手装置。
【請求項７】
前記第２の係合部が滑ることにより第１の係合部と係合するように、前記第１の係合部の前記ロック凹部の間に、凸弧状の滑り面が形成されていることを特徴とする請求項４記載の取手装置。
【発明の詳細な説明】
【０００１】
【発明の属する技術分野】
本発明は、不使用時に取手を壁面に沿った垂直の格納状態とする一方、使用時には取手を格納状態から水平位置とする取手装置に関し、特に、垂直位置及び水平位置以外の角度でも取手を停止させる状態とすることが可能な取手装置に関する。
【０００２】
【従来の技術】
トイレ、浴室等には、老人、病人、身障者の行動の補助を行うため、取手が水平状態となるように壁面に固定されているが、水平の固定状態のままでは、健常者の行動を妨げる場合がある。このため、特開平９−２０９５３５号公報には、取手が垂直位置及び水平位置の間を回動すると共に、取手を垂直位置から水平位置に緩く減勢して繰り出す取手装置が開示されている。
【０００３】
この従来の取手装置は、壁面に固定されるブラケットに取手を回動自在に取り付けると共に、取手を垂直位置及び水平位置で停止させるストッパをブラケットに取り付けることにより構成されている。これに加えて、取手に対しブラケットからガススプリングを連結し、ガススプリングによって取手を水平位置に向かって緩く減勢して繰り出す跳ね上げ式の構造としている。
【０００４】
【発明が解決しようとする課題】
しかしながら跳ね上げ式の従来の取手装置では、水平状態の取手に対して上方への力を作用すると、取手が簡単に回動するため、使用者に不安を与える問題がある。
【０００５】
また、取手の使用が水平位置で行われるため、壁面の低い位置に取手装置が取り付けられている場合には、背の高い人には低すぎて使用しにくいと共に、取手を使用者の好みに合わせた位置に停止させることができない不便さを有している。
【０００６】
本発明は、このような従来の問題点を考慮してなされたものであり、取手が簡単に回動することなく、しかも水平位置、垂直位置以外の位置であっても停止させることが可能な構造の取手装置を提供することを目的とする。
【０００７】
【課題を解決するための手段】
上記目的を達成するため、請求項１の発明の取手装置は、固定側部材に固定されたシャフトと、前記シャフトの長さ方向の略中央部分に設けられたロックプレートと、前記シャフト及びロックプレートが内部に配置されると共に前記固定側部材に回動可能に支持される大径筒部及び大径筒部の長さ方向の略中央部分に起立した小径筒部を有し、前記シャフトの周囲で回動可能となっているケースと、前記小径筒部に取り付けられ、前記ケースと一体となって回動する取手と、前記小径筒部の内部に配置されており、前記ロックプレートに係脱自在に係合し、当該係合によって前記取手の回動をロックするロックピンと、前記ロックプレートと係合する方向に前記ロックピンを付勢するロック付勢部材と、前記ロックピンに連結され、前記ロックピンと前記ロックプレートとの係合を解除するロック解除部材とを備えていることを特徴とする。
【０００８】
この発明では、ロック解除部材がロックピンとロックプレートの係合を解除した状態で、シャフトの周りを取手が回動することができるため、取手の角度調整（高さ調整）を行うことができる。このとき、ロックピン及びロックプレートがシャフトの周囲に配置されるため、コンパクトとなり、小型化が可能で取り扱い性が向上する。
【０００９】
また、ロック付勢部材がロックピンとロックプレートとを係合させることにより、取手の回動ロックを行うため、取手が簡単に回動することを防止することができ、使用に際しての不安感をなくすことができる。
【００１０】
さらに、ロック付勢部材がロックピンとロックプレートが係合するように付勢することから、ロックピンとロックプレートの係合を行うためのロック操作が不要となる。このため、ロック操作を忘れることがなく、安全に使用することができる。
【００１１】
請求項２の発明の取手装置は、請求項１記載の取手装置であって、前記取手が一方向に回動するように付勢する回動付勢部材が前記大径筒部の内部に配置されていることを特徴とする。
【００１３】
請求項２の発明では回動付勢部材を備えており、この回動付勢部材が取手を回動付勢するため、例えば、取手を上方向へ付勢することにより取手を跳ね上げ式とすることができ、取手が急激に下方向に回動することがなく安全となると共に、小さな力で取手の格納操作を行うことができ、操作性が向上する。また、回動付勢部材が取手を回動付勢していても、ロック付勢部材がロックピンとロックプレートとの係合状態を保持するため、取手が簡単に回動することがなく、使用者に不安感を与えることがない。
【００１６】
請求項３の発明は、請求項１記載の取手装置であって、前記ロックプレートは外周に第１の係合部が形成され、前記ロックピンは前記第１係合部と係脱自在に係合する第２の係合部が形成されて前記ロックプレートの周囲を回動することを特徴とする。
【００１７】
このように第１の係合部及び第２の係合部が係合することにより、取手の回動を確実にロックすることができる。この場合の第１及び第２の係合部の係合は、凹凸嵌合の他、摩擦を伴う係合等の適宜の手段を用いることができる。
【００１８】
請求項４の発明は、請求項３記載の取手装置であって、前記第１の係合部は前記ロックプレートに形成されたロック凹部であり、前記第２の係合部は前記ロックピンに形成され、ロック凹部に係合するロック凸部であることを特徴とする。
【００１９】
請求項４の発明は、このようなロック凹部及びロック凸部とすることにより、良好に結合させることができ、取手の回動ロックを確実に行うことができる。
【００２０】
請求項５の発明は、請求項２記載の取手装置であって、前記回転付勢部材は、一端がシャフト側に係止され、他端が取手側に係止された捩りばねであることを特徴とする。
【００２１】
回転付勢部材として用いる捩りばねは、取手の回動に伴ってトルクを蓄えるため、取手の回動角度に応じて取手を良好に付勢することができる。
【００２２】
請求項６の発明は、請求項２記載の取手装置であって、前記回転付勢部材は、取手側の部材と当接するようにシャフト側に設けられた押圧駒と、押圧駒を前記当接方向に付勢するばね部材と、押圧駒と取手側の部材との当接部位に形成され、取手の回動に伴って摩擦トルクを増減させるカム手段とを備えていることを特徴とする。
【００２３】
この発明のカム手段は、取手の回動に伴って摩擦トルクが変化するため、回動角度に応じて取手を良好に付勢することができる。
【００２４】
請求項７の発明は、請求項３記載の取手装置であって、前記第２の係合部が滑ることにより第１の係合部と係合するように、前記第１の係合部の前記ロック凹部の間に、凸弧状の滑り面が形成されていることを特徴とする。
【００２５】
請求項７の発明における滑り面は、第２の係合部を滑らして第１の係合部に入り込むように作用する。これにより、第１及び第２の係合部の係合が自動的に行われるため、ロック操作が不要となり、安全性が向上する。
【００２６】
【発明の実施の形態】
以下、本発明を図示する実施の形態により具体的に説明する。なお、各実施の形態において、同一の部材には同一の符号を付して対応させてある。
【００２７】
（実施の形態１）
図１〜図７は、本発明の実施の形態１であり、図１〜図３は全体を示し、図４は図２のＡ−Ａ線断面図、図５は分解斜視図、図６及び図７は作動を示す図３のＢ−Ｂ線断面図である。
【００２８】
この実施の形態の取手装置１は、図１〜図３に示すように、トイレ、浴室等の壁面２に取り付けられる固定側部材としてのブラケット３と、ブラケット３に回動自在に取り付けられた取手４とを備えている。
【００２９】
ブラケット３はコ字形に屈曲されており、その平面部３ａをボルト３ｃ等によって壁面２に取り付けることにより、ブラケット３の全体が壁面２に固定される。平面部３ａの両側には、立ち上がり部３ｂが起立状に設けられており、立ち上がり部３ｂにシャフト５（図４及び図５参照）が掛け渡されることにより、取手４の回動中心となっている。
【００３０】
取手４は、直線状の握り部４ａと、握り部４ａから分岐して握り部４ａの方向に延びる分岐部４ｂとを有している。握り部４ａは使用者が手で把持する部分であり、その先端側には、ロック解除部材としての解除レバー６が取り付けられている。なお、分岐部４ｂを省いても良く、この場合には握り部４ａだけによって取手が構成される。
【００３１】
シャフト５は、図５及び図６に示すように外形が六角形の非円形となっており、図４に示すようにブラケット３の立ち上がり部３ｂに掛け渡された状態で、その両端部にねじ７を螺合させることによりブラケット３に固定される。このシャフト５には第１のロック部材としてのロックプレート８が取り付けられる。一方、取手４の基端部には、ケース９が取り付けられる。
【００３２】
ロックプレート８にはシャフト５の外形と同一形状の軸孔８ｅが形成されており、軸孔８ｅにシャフト５が挿入されることにより、ロックプレート８はシャフト５に回転止めされた状態で取り付けられる。ロックプレート８の全体は円板形状に成形されており、その外周面には溝状のロック凹部８ａ，８ｂ，８ｃ，８ｄが所定間隔で４箇所に形成されている。これらのロック凹部は取手４の回動をロックする第１の係合部として作用するものである。この実施の形態において、ロック凹部８ａは取手４を垂直位置にロックし、ロック凹部８ｄは水平位置にロックし、ロック凹部８ｂ、８ｃは取手をこれらの中間位置でロックするために用いられるものである。
【００３３】
かかるロックプレート８には、第２のロック部材としてのロックピン１０が対向するようにケース９内に設けられている。
【００３４】
ケース９は図４に示すように、シャフト５及び円板形状のロックプレート８を収容する大径筒部９ａと、大径筒部９ａから直交方向に起立してロックピン１０を収容する小径筒部９ｂとを備えた断面Ｔ字形の筒形状に成形されている。大径筒部９ａの両端部は開放されており、その端面に切欠部９ｃ、９ｄが形成されている。開放された大径筒部９ａの両端部には、円板形状の蓋駒１１，１２が嵌め込まれている。なお、小径筒部９は図６及び図７に示すように、ねじ１３を螺合することによって、取手４の握り部４ａに固定されており、これによりケース９は取手４と共に一体的に回動する。
【００３５】
それぞれの蓋駒１１，１２の外周面には、大径筒部９ａの切欠部９ｃ、９ｄに係合する耳部１１ａ，１２ａが形成されている。そして耳部１１ａ，１２ａが切欠部９ｃ、９ｄに係合することにより、蓋駒１１，１２はケース９と共に一体的に回転するようになっている。これにより、蓋駒１１，１２はケース９の一部を構成している。
【００３６】
第２のロック部材としてのロックピン１０は、縦長となっており、その端部には、ロック凹部８ａ，８ｂ，８ｃ，８ｄと係合するロック凸部１０ａが一体的に形成されている。ロック凸部１０ａは、第２の係合部として作用するものであり、溝状のロック凹部８ａ，８ｂ，８ｃ，８ｄと同形状で僅かに小さな寸法となるように形成されている。これにより、ロック凸部１０ａがロック凹部に円滑に噛み合うようになっている。
【００３７】
ロックピン１０は、図４、図６及び図７に示すように、ケース９の小径筒部９ｂ内に挿入される。これにより、ロックピン１０はロックプレート８の周囲でケース９、すなわち取手４と一体的に回動する。
【００３８】
ロックピン１０には、圧縮コイルばねからなるロック付勢部材１４が取り付けられている。ロック付勢部材１４は、ロックピン１０の周囲に位置するようにケース９の小径筒部９内に挿入され、その上部が取付ピン１６によって小径筒部９内に固定された押え駒１５によって押えられている。これによりロック付勢部材１４は、ロックピン１０がロックプレート８の方向に移動するように付勢しており、ロックピン１０のロック凸部１０ａがロック凹部８ａ，８ｂ，８ｃ，８ｄと噛み込むことが可能となっている。
【００３９】
さらに、シャフト５には外形が円形のブッシュ１７，１８が取り付けられる。ブッシュ１７，１８は、シャフト５の外形と同形状の軸孔を有しており、シャフト５が貫通することにより回転止めされた状態となっている。ブッシュ１７，１８は、ロックプレート８を挟むように配置されており、これによりロックプレート８がシャフト５の軸方向に移動することを規制している。ブッシュ１７，１８は上述した蓋駒１１，１２を貫通しており、これにより蓋駒１１，１２（ケース９）はブッシュ１７，１８を中心にして回動する。
【００４０】
シャフト５の両端には、外形が円板形状の固定プレート１９，２０が取り付けられ、Ｃリング等の抜け止めリング２１によって抜け止めされている。それぞれの固定プレート１９，２０には、ブラケット３の立ち上がり部３ｂを貫通した固定ピン２２が差し込まれており、これにより固定プレート１９，２０はブラケット３に回転止めされた状態で固定されている。
【００４１】
上述した解除レバー６は、取手４の握り部４ａの先端部に設けたスライド孔４ｃを貫通して握り部４ａの外部に突出している。この解除レバー６には、握り部４ａ内を延びる連結ロッド２３の一端が連結されている。連結ロッド２３の他端はロックピン１０に螺合することにより、連結ロッド２３を介して解除レバー６とロックピン１０とが連結されている。従って、握り部４ａの先端方向へ移動するように解除レバー６を操作することにより、ロックピン１０はロックプレート８から離れる方向に移動し、この移動によってロック凸部１０ａはロックプレート８のロック凹部８ａ，８ｂ，８ｃ，８ｄとの係合から離脱する。
【００４２】
さらに、ケース９の大径筒部９ａの内部には、回動付勢部材としての一対の捩りばね２４，２５が配置されている。捩りばね２４，２５はシャフト５が貫通したブッシュ１７，１８に外挿されることにより、ブッシュ１７，１８とケース９の大径筒部９ａとの間に配置されている。それぞれの捩りばね２４，２５は一端２４ａ，２５ａがロックプレート８のフック孔８ｆに挿入されて係止されると共に、他端２４ｂ，２５ｂが蓋駒１１，１２のフック孔１１ｂ、１２ｂに係止される。この場合、捩りばね２４は左巻き、捩りばね２５は右巻きとなっており、ケース９が回転することにより巻き締められ、この巻き締めによってケース９、すなわち、取手４を垂直方向に回動させるトルクが蓄積される。
【００４３】
次に、この実施の形態の作動を説明する。図６に示すように、ロックピン１０のロック凸部１０ａがロックプレート８の一のロック凹部８ｃに噛み合っている状態において、取手４に下方向への回動力が作用すると、シャフト５にも同様に反時計方向の回動力が作用する。このとき、シャフト５は固定ピン２２によって固定側のブラケット３に固定されているため、回転することがない。これにより、下方向への回動力が取手４に作用しても、取手４は同方向へ回動することはなくロック状態を保持することができる。取手４に上方向への回動力が作用した場合も、同様にロック状態を保持することができる。この回動ロックは、ロックピン１０のロック凸部１０ａが他のロック凹部８ａ，８ｂ，８ｄに噛み合っている場合においても、同様にして保持されるため、取手が安易に回動することなく安定したロックを行うことができ、使用に際しての不安感がなくなる。
【００４４】
次に、図７に示すように解除レバー６を握り部４ａの先端側に向かって操作すると、ロックピン１０がロックプレート８から離れる方向に移動するため、ロック凸部１０ａがロック凹部８ｃとの噛み合いから抜け出し、ロックが解除される。この状態では、取手４を自由に回動させることができる。
【００４５】
そして、取手４を使用したい位置、例えば、ロックプレート８のロック凹部８ｄで解除レバー６を離すと、ロック付勢部材１４の付勢力によりロックピン１０がロックプレート８の方向に移動し、そのロック凸部１０ａがロック凹部８ｄに噛み込んで回動がロックされる。この場合において、ロック付勢部材１４がロックピン１０を付勢しているため、ロック凹部８ｄの手前で解除レバー６を離しても、取手４を同方向に回動させることにより、ロック凸部１０ａが自動的にロック凹部８ｄに入り込んで噛み込むため、自動的にロックすることができる。従って、ロック操作が不要となり、安全に使用することができる。
【００４６】
この実施の形態において、ロックプレート８には、４箇所のロック凹部８ａ，８ｂ，８ｃ、８ｄが形成されており、それぞれのロック凹部によって取手４の回動がロックされる。このように、複数のロック凹部を設けることにより、水平位置、垂直位置のみならず、使用者の好みの高さで取手４を停止させることができるため、使用上便利となる。
【００４７】
取手４の下方向への回動に際しては、逆向きに巻かれた捩りばね２４，２５が取手４の回動に応じて巻き締め方向に回転する。このため、取手４のモーメントの増加に追従して捩りばね２４，２５のトルクが増大し、上方向に回動するように取手４を付勢した状態となり、バランスを保つことができる。従って、ロックピン１０のロック凸部１０ａがロックプレート８のロック凹部に噛み込んでいない状態で、取手４から手を離しても取手４が急激に下方向に回動することがなく、安全に使用することができる。
【００４８】
さらに、この実施の形態では、ロックピン１０がロックプレート８の周囲を回動するように配置されることから、ロックピン１０及びロックプレート８がシャフト５の周囲に配置されている。これに加えて、ロックプレート８、捩りばね２４，２５がシャフト５の周囲に位置するようにケース９内に配置されている。このように、作動部材をシャフト５回りに配置することによりコンパクトとなる。これにより、取手装置位置の全体が小型化でき、取り扱い性が向上する。
【００４９】
さらに、また、ロックプレート８及びロックピン１０を筒状のケース９に収容しているため、さらにコンパクトとすることができると共に、係合及び離脱がケース９内で行われるため、外部々材がこれらに干渉することがなく、係合・離脱の作動を確実に行うことができる。
【００５０】
（実施の形態２）
図８は、実施の形態２の取手装置２８を示し、ロックプレート８における隣接したロック凹部８ａ，８ｂ，８ｃ，８ｄの間に滑り面２７が形成されている。滑り面２７は、凸弧状となっており、ロックピン１０のロック凸部１０ａが当接することにより、ロック凸部１０ａを滑らしてロック凹部に入り込むように案内する。これにより、ロック凸部１０ａとロックプレート８のロック凹部との係合が自動的に行われるため、ロック操作が不要となり、安全となる。
【００５１】
（実施の形態３）
図９は、実施の形態３の取手装置２９を示す。この実施の形態では、固定側部材としてのブラケットが左右に分割された構造となっている。すなわち、一対の左ブラケット３０及び右ブラケット３１によって取手４を支承するブラケットが構成されている。各ブラケット３０，３１は、Ｌ字形となっており、その平面部３０ａ，３１ａがボルト等により壁面に固定される。また、それぞれの立ち上がり部３０ｂ、３１ｂは左右からシャフト５及びケース９を挟むようになっており、シャフト５に対しては、シャフト５の外形と同一形状となるようにブラケット３０、３１の立ち上がり部３０ｂ，３１ｂに設けた孔により、その回転止めがなされている。
【００５２】
このようにブラケットを左右に分割することにより、壁面への取り付けの自由度が広がるため、取り付けを容易に行うことができる。また、ブラケット３０，３１の立ち上がり部３０ｂ，３１ｂによってシャフト５を回転止め状態で支持するため、実施の形態１のような固定プレート１９，２０が不要となる。このように部品点数を削減することができ、軽量化が可能で組み立ても容易となる。
【００５３】
（実施の形態４）
図１０〜図１２は、実施の形態４の取手装置４０を示す。この実施の形態では、支持筒４１によってロックピン１０を支持すると共に、ロックピン１０が係合するロックプレート４２，４３を一対用いるものである。
【００５４】
また、シャフト５はインナーシャフト４４及びインナーシャフト４４が貫通するアウタシャフト４５の２部材から構成されている。インナーシャフト４４は外形が円形となっており、ねじ７によってブラケット３の立ち上がり部３ｂに固定される。一方、アウタシャフト４５は左右一対となるように設けられている。アウタシャフト４５は外形が六角形状の非円形となっており、実施の形態１と同様に、固定プレート１９，２０の非円形の軸孔に挿入されている。固定プレート１９，２０は固定ピン２２によってブラケット３の立ち上がり部３ｂに固定されており、これにより、アウタシャフト４５、すなわちシャフト５の全体は、回転止めされた状態でブラケット３に取り付けられている。
【００５５】
支持筒４１は取手４の握り部４ａの基端部に挿入され、ねじ１３によって握り部４ａ内に固定されており、取手４と一体的に回動する。支持筒４１の基端部（下端部）には、インナーシャフト４４が貫通しており、インナーシャフト４４の貫通部分には、ブッシュ４６が設けられて支持筒４１の回動が支持されている。
【００５６】
ロックピン１０は長尺となって、支持筒４１内に挿入されており、その基端部には、ロック凸部１０ａがねじ込まれることによりロック凸部１０ａが左右から突出するように取り付けられている。ロックピン１０は直接あるいは連結ロッド等を介して間接的に解除レバー６（図示省略）に連結されており、解除レバー６への操作によって支持筒４１内を摺動する。この摺動の際には、ロック凸部１０ａが一体的に摺動する。このため、支持筒４１には、ロック凸部１０ａの摺動を許容する縦長の摺動溝４１ａが形成されている。
【００５７】
一対のロックプレート４２，４３は、回転止めされた状態でアウタシャフト４５に取り付けられている。それぞれのロックプレート４２，４３には、ロックピン１０の左右から突出するロック凸部１０ａが噛み込んで係合するロック凹部４２ａ〜４２ｄ、４３ａ〜４３ｄが適宜間隔で形成されている。この実施の形態において、ロック凸部１０ａは外形が円形となっており、ロック凸部１０ａが噛み込むロック凹部も円形の溝形状に形成されている。
【００５８】
ロック凸部１０ａとロック凹部との係合を行うため、ロックピン１０を係合方向に付勢する圧縮ばねからなるロック付勢部材１４が支持筒４１に挿入され、取付ピン１６によって固定されている。
【００５９】
なお、この実施の形態においても、取手４の回動に伴って取手４を上方向に付勢する逆巻きの捩りばね２４，２５がケース９の内部に配置されている。この場合、捩りばね２４，２５はロックプレート４２，４３の外側に位置するように配置されており、一端２４ａ，２５ａは対応するロックプレート４２，４３のフック孔４２ｆ，４３ｆに挿入されて係止されている。他端２４ｂ，２５ｂはケース９の一部を構成する蓋駒１１，１２に係止されている。
【００６０】
このような実施の形態では、実施の形態１と同様に作用することができる。これに加えて、ロックピン１０が支持筒４１に支持されるため、実施の形態１のようにケース９を断面Ｔ字形とすることなく、単純な筒状として用いることができる。
【００６１】
（実施の形態５）
図１３及び図１４は実施の形態５の取手装置５０を示す。この実施の形態では、取手４を一方向に回動付勢する回動付勢部材５１として、左右一対の押圧駒５２及び左右一対のばね部材５３を用いるものである。
【００６２】
左右一対の押圧駒５２は、外面が六角形の非円形に形成されたシャフト５が貫通することにより回転拘束されているが、シャフト５の軸方向に摺動自在となっている。また、それぞれの押圧駒５２における蓋駒１１，１２側にはカム突起５２ａが形成されている。
【００６３】
ばね部材５３は圧縮ばねからなり、圧縮された状態でロックプレート８と押圧駒５２との間に位置するようにシャフト５に外挿される。このばね部材５３は押圧駒５２が蓋駒１１，１２に当接するように付勢するものである。
【００６４】
ケース９を構成する左右一対の蓋駒１１，１２には、押圧駒５２が当接するが、この当接部位には、図１４に示すようにカム面５４がそれぞれ形成されている。カム面５４は円弧状となって連続しており、その対向部位に頂部５４ａが形成され、頂部５４ａの間を凹み部５４ｂが連設している。凹み部５４ｂは、頂部５４ａに向かって徐々に立ち上がる緩やかな湾曲面となっている。従って、取手４の回動に伴ってケース９（蓋駒１１，１２）が回動し、押圧駒５２のカム突起５２ａが凹み部５４ｂに沿って相対的に移動すると、これらの間に生じる摩擦トルクが増減される。そして、押圧駒５２のカム突起５２ａがカム面５４の頂部５４ａに当接すると、カム突起５２ａと頂部５４ａとの間の摩擦トルクが最大となるため、取手４が不用意に下方向に回動することがなくなる。これにより、安全となると共に、取手４を小さな力で格納状態まで回動させることができる。このようなカム突起５２ａ及びカム面５４は、取手４の回動に伴って摩擦トルクを増減させるカム手段を構成する。
【００６５】
本発明は、以上の実施の形態に限定されることなく、種々変形が可能である。例えば、図１５に示すように、ロックピン１０のロック凸部１０ａの外形を円形とすると共に、ロック凸部１０ａが係合するロックプレート８のロック凹部８ａ〜８ｄを円形孔としても良い。また、図１６に示すように、ロックピン１０のロック凸部１０ａを円錐形とすると共に、ロックプレート８のロック凹部８ａ，８ｂ，８ｃ，８ｄを同様に円錐状孔とすることにより、これらが密に接触した状態で係合するため、ガタ付きのない回動ロックを行うことができる。
【００６６】
さらに、取手の回動ロックを行うロック凹部は、その数を任意に選定することができる。また、第１のロック部材としてのロックプレート８，４２，４３をシャフト５に一体的に形成しても良い。さらに、解除レバー６とロックピン１０とをワイヤ等によって連結しても良い。さらに、また、ロック凹部を第２のロック部材であるロックピン１０に形成する一方，ロック凸部を第１のロック部材であるロックプレート８に形成しても良い。
【００６７】
【発明の効果】
本発明によれば、ロック付勢部材がロックプレートとロックピンとを係合させて取手の回動ロックを行うため、取手が簡単に回動することを防止することができ、使用に際しての不安感をなくすことができる。また、ロックプレートとロックピンとの係合を行うためのロック操作が不要となり、ロック操作を忘れることがなく、安全に使用することができる。さらに、取手の高さ調整の構造をコンパクトとすることができ、小型化が可能で、取り扱い性が向上すると共に、使用者の好みに合せた位置に停止させて使用できる等の効果がある。
【図面の簡単な説明】
【図１】本発明の実施の形態１の取手装置の側面図である。
【図２】取手を任意の高さで回動ロックした状態を示す側面図である。
【図３】図２の正面図である。
【図４】図２のＡ−Ａ線断面図である。
【図５】実施の形態１の分解斜視図である。
【図６】図３のロック状態を示すＢ−Ｂ線断面図である。
【図７】実施の形態１のロック解除状態を示す断面図である。
【図８】実施の形態２の断面図である。
【図９】実施の形態３の断面図である。
【図１０】実施の形態４の分解斜視図である。
【図１１】実施の形態４の側面からの断面図である。
【図１２】実施の形態４の正面からの断面図である。
【図１３】実施の形態５の断面図である。
【図１４】実施の形態５の要部を示す分解斜視図である。
【図１５】他の実施の形態における要部を示す分解斜視図である。
【図１６】さらに他の実施の形態における要部を示す分解斜視図である。
【符号の説明】
１，２８，２９，４０，５０  取手装置
３  ブラケット
４  取手
５  シャフト
６  解除レバー
８  ロックプレート
８ａ，８ｂ，８ｃ，８ｄ  ロック凹部
９  ケース
１１，１２  蓋駒
１０  ロックピン
１０ａ  ロック凸部
１４  ロック付勢部材
２４，２５  捩りばね
２７  滑り面
５２  押圧駒
５３  ばね突起
５４  カム面
【図１】
0004217806.tif 000002
【図２】
0004217806.tif 000003
【図３】
0004217806.tif 000004
【図４】
0004217806.tif 000005
【図５】
0004217806.tif 000006
【図６】
0004217806.tif 000007
【図７】
0004217806.tif 000008
【図８】
0004217806.tif 000009
【図９】
0004217806.tif 000010
【図１０】
0004217806.tif 000011
【図１１】
0004217806.tif 000012
【図１２】
0004217806.tif 000013
【図１３】
0004217806.tif 000014
【図１４】
0004217806.tif 000015
【図１５】
0004217806.tif 000016
【図１６】
0004217806.tif 000017